(57)【要約】【課題】掻取部が前後方向に縮退して垂直部が下方に伸張したときでもバラ物の飛散及び発塵を良好に防止できる連続アンローダの飛散防止カバー構造を提供する。【解決手段】バケットエレベータ８の下端部に前後方向に伸縮自在な掻取部１３を形成し、バケットエレベータ８のケーシング１８の下部に掻取部１３の後端の垂直部２２を覆う固定カバー２３を取り付けた連続アンローダ１の飛散防止カバー構造において、固定カバー２３の外側に、掻取部１３の伸縮に追従して上下動する可動カバー２４を上下動自在に設けたものである。【選択図】図１
2015137166.tif 000002
【特許請求の範囲】
【請求項１】
バケットエレベータの下端部に前後方向に伸縮自在な掻取部を形成し、前記バケットエレベータのケーシングの下部に前記掻取部の後端の垂直部を覆う固定カバーを取り付けた連続アンローダの飛散防止カバー構造において、
前記固定カバーの外側もしくは内側に、前記掻取部の伸縮に追従して上下動する可動カバーを上下動自在に設けたことを特徴とする連続アンローダの飛散防止カバー構造。
【請求項２】
前記可動カバーは、前記掻取部の後端のスプロケットの軸にリンクを介して連結され、前記掻取部の伸縮による後端のスプロケットの上下動に追従して前記固定カバーに対してスライドする請求項１に記載の連続アンローダの飛散防止カバー構造。
【請求項３】
前記可動カバーは、前記垂直部の側方及び後方を覆うように断面コ字状に形成された請求項１又は２に記載の連続アンローダの飛散防止カバー構造。
【請求項４】
前記可動カバーの後部の下端側には、飛散したバラ物をバケットチェーンのバケットに案内する傾斜面が、前記垂直部に向かって傾斜して形成された請求項１から３のいずれかに記載の連続アンローダの飛散防止カバー構造。
【発明の詳細な説明】
【技術分野】
【０００１】
本発明は、連続アンローダの飛散防止カバー構造に関するものである。
【背景技術】
【０００２】
図５に示すような、船倉内の鉱石や石炭等のバラ物を陸揚げするバケットエレベータ式の連続アンローダ１には、内部の搬送経路を密閉式構造とし、バケットエレベータ８のケーシング１８の下部に掻取部１３の後端の垂直部２２を覆う固定カバー２３を取り付けたものがある。
【０００３】
かかる連続アンローダ１によれば、陸揚げ中のバラ物が機外に飛散することを抑えることができ、埠頭周辺の水域や埠頭上の環境を保全することができる。
【先行技術文献】
【特許文献】
【０００４】
【特許文献１】特開平６−３２４６０号公報
【発明の概要】
【発明が解決しようとする課題】
【０００５】
ところで、掻取部１３には、前後方向に伸縮自在に形成され、掻き取り部長さが調節できるタイプのものがある。掻取部１３がかかるタイプである場合、固定カバー２３はバケットエレベータ８のケーシング１８に固定されるものであるため、掻取部１３が前後方向に縮退したとき、固定カバー２３が水平部４０の掻取位置から高い位置になり、バラ物の飛散及び発塵の防止効果が薄れるという課題があった。
【０００６】
本発明の目的は、掻取部が前後方向に縮退して垂直部が下方に伸張したときでもバラ物の飛散及び発塵を良好に防止できる連続アンローダの飛散防止カバー構造を提供することにある。
【課題を解決するための手段】
【０００７】
上述の目的を達成するため、本発明は、バケットエレベータの下端部に前後方向に伸縮自在な掻取部を形成し、前記バケットエレベータのケーシングの下部に前記掻取部の後端の垂直部を覆う固定カバーを取り付けた連続アンローダの飛散防止カバー構造において、前記固定カバーの外側もしくは内側に、前記掻取部の伸縮に追従して上下動する可動カバーを設けたものである。
【０００８】
前記可動カバーの可動方法の一例としては、前記掻取部の後端のスプロケットの軸にリンクを介して連結され、前記掻取部の伸縮による後端のスプロケットの上下動に追従して前記固定カバーに対してスライドしてもよい。
【０００９】
前記可動カバーは、前記垂直部の側方及び後方を覆うように断面コ字状に形成されてもよい。
【００１０】
前記可動カバーの後部の下端側には、飛散したバラ物をバケットチェーンのバケットに案内する傾斜面３８が、前記垂直部に向かって傾斜して形成されてもよい。
【発明の効果】
【００１１】
本発明に係る連続アンローダの飛散防止カバー構造によれば、掻取部が縮んだときでもバラ物の飛散及び発塵を良好に防止できる。
【図面の簡単な説明】
【００１２】
【図１】本発明の一実施の形態に係る連続アンローダの掻取部を示し、（ａ）は側面図、（ｂ）は背面図、（ｃ）は（ａ）のＡ−Ａ線断面図である。
【図２】（ａ）は前後方向に縮んだ掻取部の側面図、（ｂ）は同掻取部の背面図である。
【図３】（ａ）は図２（ｂ）のＢ−Ｂ線矢視部分断面図であり、（ｂ）は（ａ）のＣ−Ｃ線矢視断面図である。
【図４】図３（ｂ）のガイドの変形例を示す説明図である。
【図５】連続アンローダの全体説明図である。
【図６】従来の飛散防止カバー構造に係り、（ａ）は掻取部が伸張した状態の説明図であり、（ｂ）は掻取部が縮退した状態の説明図である。
【発明を実施するための形態】
【００１３】
以下、本発明の好適な実施の形態を添付図面にしたがって説明する。
【００１４】
図５に示すように、連続アンローダ１は、埠頭などの岸壁２に設けられたレール３上を走行する走行部４と、走行部４上に鉛直軸回りに旋回自在に設けられた旋回台５と、旋回台５に俯仰自在に設けられたブーム６と、ブーム６の先端に回動自在に設けられたトップフレーム７と、トップフレーム７に鉛直軸回りに回動自在に設けられトップフレーム７から垂下される上下に長いバケットエレベータ８と、旋回台５に俯仰自在に設けられると共にトップフレーム７に回動自在に設けられブーム６と平行に配置されるバランシングレバー９と、バランシングレバー９に設けられたカウンターウェイト１０とを備える。
【００１５】
バケットエレベータ８は、船倉１１内の積荷である石炭等のバラ物１２を上方に移送するものであり、下端部にバラ物を掻き取るための掻取部１３を有する。バケットエレベータ８は、上端両側に配置された一対の駆動スプロケット１４と、これら駆動スプロケット１４の鉛直下方に配置された一対の後部スプロケット１５と、後部スプロケット１５から水平方向前方に離間して配置された一対の前部スプロケット１６と、駆動スプロケット１４、後部スプロケット１５及び前部スプロケット１６に掛け回されたバケットチェーン１７と、掻取部１３とトップフレーム７との間のバケットチェーン１７を覆う筒状のケーシング１８とを備える。
【００１６】
駆動スプロケット１４は、図示しない駆動装置からの動力を受けて回転駆動されるようになっており、後部スプロケット１５に掛け回されたバケットチェーン１７を上昇させる方向に駆動する。
【００１７】
図１（ａ）及び図１（ｂ）に示すように、前部スプロケット１６及び後部スプロケット１５は、バケットエレベータ８のフレーム（図示せず）にリンク機構１９を介して水平方向に近接離間自在に支持されている。リンク機構１９は、後部スプロケット１５を駆動スプロケット１４の鉛直下方に支持すると共に後部スプロケット１５に対して前部スプロケット１６を近接離間自在に支持するように形成されている。また、リンク機構１９は、前部スプロケット１６と後部スプロケット１５とを近接させたとき前部スプロケット１６及び後部スプロケット１５を下方に移動させ、前部スプロケット１６と後部スプロケット１５とを離間させたとき、前部スプロケット１６及び後部スプロケット１５を上方に移動させるように形成されている。
【００１８】
バケットチェーン１７は、バケットエレベータ８の両側に配置される一対の無端チェーン２０と、これら無端チェーン２０間に設けられると共に無端チェーン２０の周長方向に間隔を隔てて複数設けられたバケット２１とを備える。
【００１９】
掻取部１３は、前部スプロケット１６と、後部スプロケット１５と、リンク機構１９と、バケットエレベータ８下端部のバケットチェーン１７とからなり、前部スプロケット１６及び後部スプロケット１５の近接離間に伴って前後方向に伸縮すると共に上下方向に伸縮する。また、掻取部１３は側面視略三角形状に形成されている。掻取部１３の後端には、バケットチェーン１７が垂直に上昇する垂直部２２が形成されている。
【００２０】
図１（ａ）及び図１（ｃ）に示すように、ケーシング１８の下部には、垂直部２２を覆う固定カバー２３が取り付けられている。固定カバー２３は、垂直部２２の側方及び後方を覆うように断面コ字状に形成されている。また、固定カバー２３は、掻取部１３が前後方向に伸張して掻取部１３の下端が上昇したとき、下端が掻取部１３の下端より上方に位置するように上下方向の長さを設定されている。これにより、固定カバー２３が船倉１１内に積まれたバラ物１２と干渉しないようになっている。なお、固定カバー２３は、垂直部２２の前方の一部を覆うように前端が内側に屈曲された形状（断面Ｃ字状）に形成されていてもよい。
【００２１】
また特に、固定カバー２３の外側には、掻取部１３の伸縮に追従して上下動する可動カバー２４がガイド２５を介して上下動自在に設けられている。可動カバー２４は、垂直部２２の側方及び後方を固定カバー２３の外側もしくは内側から覆うように断面コ字状に形成されている。
【００２２】
図３（ａ）及び図３（ｂ）に示すように、ガイド２５は、可動カバー２４に設けられたガイドレール２６と、固定カバー２３に設けられガイドレール２６に沿って走行する被ガイド部２７とからなる。被ガイド部２７は、固定カバー２３の外側の側面に設けられた基部２８と、基部２８の前後に回転自在に設けられたガイドローラ２９とからなる。ガイドレール２６は、断面Ｌ字状に形成された一対の長尺の鋼材からなる。ガイドレール２６は、それぞれのガイドローラ２９に対応して前後に離間して配置されると共に、Ｌ字状の内部にガイドローラ２９を収容するように配置されている。
【００２３】
なお、ガイド２５は、これに限るものではない。例えば、ガイドレール２６が固定カバー２３に設けられ、被ガイド部２７が可動カバー２４に設けられるものとしてもよい。また、図４に示すように、ガイド３０は、固定カバー２３又は可動カバー２４の一方に設けられ上下に延びる溝３１を有するガイドレール３２と、固定カバー２３又は可動カバー２４の他方に設けられガイドレール３２の溝３１内に上下スライド自在に収容されるブロック状の被ガイド部３３とからなるものとしてもよい。また、ガイドレール３２及び被ガイド部３３は、固定カバー２３又は可動カバー２４に一体に形成されるものとしてもよい。
【００２４】
図１（ａ）及び図１（ｂ）に示すように、可動カバー２４の可動は、例えば、後部スプロケット１５の軸３４に一対のリンク３５を介して連結し、掻取部１３の収縮による後部スプロケット１５の上下動に追従して固定カバー２３に対してスライドするようにしている。リンク３５は、可動カバー２４の下部両側と後部スプロケット１５の軸３４の両端とを接続する。具体的には、リンク３５は、後部スプロケット１５の軸３４に設けられ上方に延びる起立部３６と、起立部３６の上端から水平方向に延びて形成され可動カバー２４の下端部に水平軸回り回動自在に連結される連結部３７とを備える。リンク３５は、可動カバー２４を後部スプロケット１５より上方に保持する。
【００２５】
また、可動カバー２４の後部の下端側には、飛散したバラ物１２をバケットチェーン１７のバケット２１に案内するための傾斜面３８が形成されている。傾斜面３８は、垂直部２２に向かって傾斜、すなわち、可動カバー２４の後部の下端側が下方に向かうにつれて垂直部２２に近接するように傾斜されており、上方からのバラ物１２を傾斜方向に弾いて案内するようになっている。
【００２６】
図３（ａ）に示すように、可動カバー２４の上端部には、固定カバー２３側（内側）に屈曲する鍔部２４ａが形成されている。鍔部２４ａは、可動カバー２４内の粉塵が外部へ飛散するのを防止する。
【００２７】
また、図５に示すトップフレーム７、ブーム６、旋回台５及び走行部４には、バケットエレベータ８からのバラ物１２を埠頭２上に設置されたコンベア３９へ送るためのテーブルフィーダ、ベルトコンベア、ホッパ等の移送装置（図示せず）が設けられている。移送装置は、移送中のバラ物１２が外部へ飛散しないように密閉されている。
【００２８】
次に本実施の形態の作用を述べる。
【００２９】
図１（ａ）及び図５に示すように、掻取部１３を前後伸張させた状態で船倉１１内のバラ物１２を掻き取る場合、掻取部１３は下端が上昇された状態となっている。このとき、可動カバー２４は固定カバー２３に対して上方にスライドした状態となっており、固定カバー２３を覆うように固定カバー２３の外側にラップして配置される。可動カバー２４は、後部スプロケット１５より上方に保持されるため、船倉１１内のバラ物１２と干渉することはなく、バラ物１２の掻き取りを邪魔することはない。また、垂直部２２は、下端近傍まで固定カバー２３及び可動カバー２４に覆われているため、垂直部２２から落下したバラ物１２が周囲に飛散することはない。
【００３０】
図２（ａ）及び図２（ｂ）に示すように、掻取部１３を前後方向に縮退させると、前部スプロケット１６及び後部スプロケット１５が下方に移動し、掻取部１３が下方に伸張される。可動カバー２４は後部スプロケット１５の移動に追従して下方に移動する。このとき、可動カバー２４は、固定カバー２３に対して下方にスライドする。これにより、固定カバー２３より下方に延びた垂直部２２を可動カバー２４で覆うことができ、垂直部２２からのバラ物１２の飛散を防止することができる。また、可動カバー２４は、上端部のみが固定カバー２３とラップする状態となり、かつ、固定カバー２３の外側に位置されるため、固定カバー２３と可動カバー２４の間からバラ物１２が飛散することもない。またさらに、バケット２１から後方に落下したバラ物１２は可動カバー２４後部の傾斜面３８によって前方へ案内され、掻取部１３下方の掻き取り位置又は上昇する他のバケット２１内に落下する。このため、垂直部２２から落下したバラ物１２が飛散することはなく、周囲の環境をよりクリーンに保つことができる。掻取部１３で掻き取られたバラ物１２は、循環するバケットチェーン１７によって上昇され、トップフレーム７、ブーム６、旋回台５及び走行部４に設けられた移送装置によって埠頭２上のコンベア３９に移送される。このとき、移送装置は密閉されているため、移送中のバラ物１２が飛散することはない。
【００３１】
このように、固定カバー２３の外側に、掻取部１３の伸縮に追従して上下動する可動カバー２４を上下動自在に設けたため、掻取部１３が前後方向に縮退して垂直部２２が下方に伸びたときであっても垂直部２２からのバラ物１２の飛散及び発塵を良好に防止できる。
【００３２】
また、可動カバー２４は、掻取部１３の後部スプロケット１５の軸３４にリンク３５を介して連結され、掻取部１３の伸縮による後部スプロケット１５の上下動に追従して固定カバー２３に対してスライドするため、可動カバー専用の動力を必要とせず、垂直部２２からバラ物１２が飛散するのを簡易な構造で良好に防止できる。
【００３３】
可動カバー２４は、垂直部２２の側方及び後方を覆うように断面コ字状に形成されるものとしたため、垂直部２２から側方又は後方へのバラ物１２の飛散を簡単な構造で防止できる。
【００３４】
可動カバー２４の後部の下端側には、飛散したバラ物１２をバケットチェーン１７のバケット２１に案内する傾斜面３８が、垂直部２２に向かって傾斜して形成されるものとしたため、垂直部２２から後方に落下したバラ物１２を前方へ案内でき、バラ物１２の後方への飛散を防止できる。
【符号の説明】
【００３５】
１  連続アンローダ
８  バケットエレベータ
１２  バラ物
１３  掻取部
１５  後部スプロケット（スプロケット）
１７  バケットチェーン
１８  ケーシング
２２  垂直部
２３  固定カバー
２４  可動カバー
３５  リンク
３４  軸
３８  傾斜面
４０  水平部
【図１】
2015137166.tif 000003
【図２】
2015137166.tif 000004
【図３】
2015137166.tif 000005
【図４】
2015137166.tif 000006
【図５】
2015137166.tif 000007
【図６】
2015137166.tif 000008